(57)【要約】【課題】自動調心玉軸受の組立てによる玉の挿入性を確保するとともに、保持器の変形を回避出来る自動調心玉軸受用冠型保持器を提供することにある。【解決手段】リング状の円環部と、前記円環部の外形側端部より立ち上がる円周状のフランジ部とを有し、前記フランジ部には円周上等間隔にフランジ端部に向け開放したポケットと、前記円環部の内径側に向けて折曲したリブとを交互に複数設けた冠型保持器であって、前記フランジ部の前記ポケットに隣接する部分にスリットを設けた。これにより、軸受の組立てによる保持器の変形を回避することが可能となる。【選択図】図１
2016017553.tif 000002
【特許請求の範囲】
【請求項１】
リング状の円環部と、前記円環部の外形側端部より立ち上がる円周状のフランジ部とを有し、前記フランジ部には円周上等間隔にフランジ端部に向け開放したポケットと、前記円環部の内径側に向けて折曲したリブとを交互に複数設けた冠型保持器であって、前記フランジ部の前記ポケットに隣接する部分にスリットを設けたことを特徴とする自動調心玉軸受用冠型保持器。
【発明の詳細な説明】
【技術分野】
【０００１】
本発明は、自動調心玉軸受に用いる冠型保持器に関する。
【背景技術】
【０００２】
従来から、自動調心玉軸受１０は、図１に示すように、内周面に外輪軌道面１１ａを有する外輪１１と、外周面に二列の内輪軌道面１２ａ,１２ａを有する内輪１２と、外輪軌道面１１ａと内輪軌道面１２ａ,１２ａとの間に二列の状態で転動可能に配置される複数の玉１３と、複数の玉１３を各列で円周方向に略等間隔にそれぞれ保持する一対の冠型保持器１４，１４と、を備える。
【０００３】
外輪軌道面１１ａは、球面形状の凹面であり、その球面形状の曲率中心点が軸受中心軸に一致するように形成される。このため、自動調心玉軸受１０では、内輪１２、玉１３、及び冠型保持器１４がその曲率中心点を中心に所定の範囲で自由に回転可能である。
【０００４】
内輪１２は、二列の内輪軌道面１２ａ，１２ａの間に設けられる内輪内方肩部１２ｂと、二列の内輪軌道面１２ａ，１２ａの軸方向外方に隣接してそれぞれ設けられる内輪外方肩部１２ｃ，１２ｃと、を有する。
【０００５】
そして、図２に示すように、内輪軌道面１２ａと内輪外方肩部１２ｃの外周面１２ｄとの間の境界部１２ｅに、所定の曲率を有するラウンド形状の面取りが施されている。なお、図２では、一方の境界部１２ｅしか図示していないが、他方の境界部１２ｅにもラウンド形状の面取りが同様に施されている。
【０００６】
冠型保持器１４は、例えば、金属板をプレス加工や曲げ加工することにより成形され、複数の玉１３を円周方向にそれぞれ収納するポケット部１４ａを有し、ポケット部１４ａの軸方向一端側に、玉１３をポケット部１４ａに挿入するための開口部１４ｂが形成されている。そして、一対の冠型保持器１４，１４は、開口部１４ｂが軸受１０の軸方向外方に向くようにそれぞれ組み付けられる。
【０００７】
（ベース文献の従来例）
自動調心玉軸受における玉１３の組み込み方法としては、図６に示すように、冠型保持器１４を内輪１２に組み付けた状態において、内輪軌道面１２ａに玉１３が配置されるように、玉１３を冠型保持器１４のポケット部１４ａに斜め上方から押し込むようにして行われる。
【０００８】
そして、押し込まれた玉１３は、冠型保持器１４を外径側に倒しながら内輪外方肩部１２ｃと冠型保持器１４との間を通過するが、その中でも、内輪軌道面１２ａと内輪外方肩部１２ｃの外周面１２ｄとの間の境界部１２ｅの面取りを玉１３が通過するとき、冠型保持器１４の倒れ角度Ａが最大となる。このとき境界部１２ｅにラウンド形状の面取りが施されているので、自動調心玉軸受への玉１３の挿入性が向上している。
【先行技術文献】
【特許文献】
【０００９】
【特許文献１】特開２０１３−１４２４１１号公報
【発明の概要】
【発明が解決しようとする課題】
【００１０】
しかしながら、特許文献１のような構造の自動調心玉軸受においては、保持器を押しのけて玉を軸受の所定の位置に配置するため、玉挿入に際して過大な力が加わった場合には、保持器が塑性変形する虞が懸念されていた。
【００１１】
本発明は、上述の問題に鑑み、自動調心玉軸受の組立て時の玉の挿入性を確保しながら、組立てによる保持器の変形を回避できる自動調心玉軸受用冠型保持器を提供することを目的とする。
【課題を解決するための手段】
【００１２】
本発明は、リング状の円環部と、前記円環部の外形側端部より立ち上がる円周状のフランジ部とを有し、前記フランジ部には円周上等間隔にフランジ端部に向け開放したポケットと、前記円環部の内径側に向けて折曲したリブとを交互に複数設けた冠型保持器であって、前記フランジ部の前記ポケットに隣接する部分にスリットを設けたことを特徴とする。
【発明の効果】
【００１３】
この冠型保持器により、軸受の組立てによる保持器の変形を回避することが可能となる。
【図面の簡単な説明】
【００１４】
【図１】自動調心玉軸受の断面図である。
【図２】自動調心玉軸受の内輪の断面図である。
【図３】本発明の自動調心玉軸受の玉の取り付けを説明する要部拡大断面図である。
【図４】本発明の冠型保持器を示す斜視図である。
【図５】本発明の冠型保持器の変形例を示す斜視図である。
【図６】従来の自動調心玉軸受の玉の取り付けを説明する要部拡大断面図である。
【発明を実施するための形態】
【００１５】
以下、本発明の実施形態につき、図面を参照しつつ詳細に説明する。図１、図２に示すように、自動調心玉軸受１０は、内周面に外輪軌道面１１ａを有する外輪１１と、外周面に二列の内輪軌道面１２ａ,１２ａを有する内輪１２と、外輪軌道面１１ａと内輪軌道面１２ａ,１２ａとの間に二列の状態で転動可能に配置される複数の玉１３と、複数の玉１３を各列で円周方向に略等間隔にそれぞれ保持する一対の冠型保持器１４，１４と、を備える。
【００１６】
外輪軌道面１１ａは、球面形状の凹面であり、その球面形状の曲率中心点が軸受中心軸に一致するように形成される。このため、自動調心玉軸受１０では、内輪１２、玉１３、及び冠型保持器１４がその曲率中心点を中心に所定の範囲で自由に回転可能である。
【００１７】
内輪１２は、二列の内輪軌道面１２ａ，１２ａの間に設けられる内輪内方肩部１２ｂと、二列の内輪軌道面１２ａ，１２ａの軸方向外方に隣接してそれぞれ設けられる内輪外方肩部１２ｃ，１２ｃと、を有する。
【００１８】
本発明の冠型保持器２４は、図４に示す様に、リング状の円環部２４ｃと、前記円環部２４ｃの外形側端部より立ち上がる円周状のフランジ部２４ｆとを有し、前記フランジ部２４ｆには円周上等間隔にフランジ端部に向け開口２４ｂを設けたポケット２４ａと、前記円環部２４ｃの内径側に向けて折曲したリブ２４ｄとを交互に複数設けている。さらに、前記フランジ部２４ｆには前記ポケット２４ａに隣接してスリット２４ｅが設けられている。
【００１９】
そして、本発明の自動調心玉軸受には、内輪軌道面１２ａと内輪外方肩部１２ｃの外周面１２ｄとの間の境界部１２ｅに、所定の曲率を有するラウンド形状の面取りが施されている。なお、図２では、一方の境界部１２ｅしか図示していないが、他方の境界部１２ｅにもラウンド形状の面取りが同様に施されている。
【００２０】
本発明の自動調心玉軸受における玉１３の組み込み方法としては、図３に示す様に、冠型保持器２４を内輪１２に組み付けた状態において、内輪軌道面１２ａに玉１３が配置されるように、玉１３を冠型保持器２４のポケット部２４ａに斜め上方から押し込むようにして行われる。
【００２１】
そして、押し込まれた玉１３は、冠型保持器２４を外径側に倒しながら内輪外方肩部１２ｃと冠型保持器２４との間を通過するが、その中でも、内輪軌道面１２ａと内輪外方肩部１２ｃの外周面１２ｄとの間の境界部１２ｅの面取りを玉１３が通過するとき、冠型保持器２４の倒れ角度Ａが最大になり、最も大きな押し込み力が必要となる。このとき、冠型保持器２４のポケット２４ａに隣接してスリット２４ｅが設けられているので、ポケット２４ａが設けられている部分のフランジ部２４ｆが容易に撓み、冠型保持器２４を塑性変形させること無く玉１３を容易に軸受内に配置させることが出来る。
【００２２】
上記実施例で説明した冠型保持器の変形例として、図５に示す様に、ポケット２４ａを撓ませるスリット２４ｅを前記リブ２４ｄの頂部に設けてもよい。本構成においても先の実施例と同様の効果を奏する。
【００２３】
以上、本発明の自動調心玉軸受用冠型保持器について説明したが、実施例における構成要素には、当業者が容易に想定できるもの、実質的に同一のもの、いわゆる均等の範囲のものが含まれる。また、実施例の要旨を逸脱しない範囲で構成要素の種々の省略、置換又は変更を行うこともできる。
【符号の説明】
【００２４】
１０  自動調心玉軸受
１１  外輪
１２  内輪
１３  玉
２４  冠型保持器
２４ｅ  スリット
【図１】
2016017553.tif 000003
【図２】
2016017553.tif 000004
【図３】
2016017553.tif 000005
【図４】
2016017553.tif 000006
【図５】
2016017553.tif 000007
【図６】
2016017553.tif 000008